(57)【要約】【課題】構造躯体と外壁板との間に，充分な厚みの通気層を確保することができる縦張直張用の留め付け金具を提供すること。【解決手段】外壁板を建物の構造躯体に直接留め付けるための縦張直張用の留め付け金具１。留め付け金具１は，基板部１１と，基板部１１から立設された立設部１２と，立設部１２の先端１２１から左右へそれぞれ屈曲した第１係止部１３及び第２係止部１４と，基板部１１よりも前方にその前面１５１が配されたスペーサ部１５とを有する。スペーサ部１５の前面１５１は，基板部１１の後面１１１よりも１０〜２０ｍｍ前方に形成されている。留め付け金具１は外壁板の左右接合部に配設され，一方の外壁板の側端部を立設部１２に当接させると共に第１係止部１３に係止させ，他方の外壁板の側端部を第２係止部１４に係止させ，スペーサ部１５を外壁板の裏側面に当接させることができる。【選択図】  図１
2004232347.tif 000002
【特許請求の範囲】
【請求項１】
長手方向が上下方向となるように，外壁板を建物の構造躯体に直接留め付けるための縦張直張用の留め付け金具であって，
該留め付け金具は，上記構造躯体に固定される基板部と，該基板部から略垂直に上下方向に立設された立設部と，該立設部の先端から左方へ屈曲した第１係止部と，上記立設部の先端から右方へ屈曲した第２係止部と，上記基板部の上下において該基板部よりも前方であり上記立設部の先端よりも後方にその前面が配されたスペーサ部とを有し，
該スペーサ部の前面は，上記基板部の後面よりも，１０〜２０ｍｍ前方に形成されており，
上記留め付け金具は，左右に隣り合う外壁板の左右接合部に配設され，一方の外壁板の側端部を上記立設部に当接させると共に上記第１係止部に係止させ，他方の外壁板の側端部を上記第２係止部に係止させ，かつ上記スペーサ部を上記外壁板の裏側面に当接させることができるよう構成されていることを特徴とする留め付け金具。
【請求項２】
請求項１において，上記基板部と上記立設部と上記スペーサ部の立上板部には，これらを部分的に変形させてなる補強用のリブが形成されていることを特徴とする留め付け金具。
【請求項３】
請求項１または２において，上記基板部は，該基板部を上記構造躯体に固定するためのビスを挿通するビス孔を設けてなり，該ビス孔の周囲には，左側が前方へ突出するように傾斜した傾斜隆起部が形成されていることを特徴とする留め付け金具。
【請求項４】
請求項１〜３のいずれか１項において，上記留め付け金具は，１枚の金属板を切断，折り曲げ加工することにより製作したものであることを特徴とする留め付け金具。
【発明の詳細な説明】
【０００１】
【発明の属する技術分野】
本発明は，長手方向が上下方向となるように，外壁板を建物の構造躯体に直接留め付けるための縦張直張用の留め付け金具に関する。
【０００２】
【従来の技術】
従来より，長手方向が上下方向となるように，外壁板を建物の構造躯体に留め付けるための縦張用の留め付け金具がある（特許文献１参照）。
図１４，図１５に示すごとく，該留め付け金具９は，構造躯体６０に固定される基板部９１と，該基板部９１から略垂直に上下方向に立設された立設部９２とを有する。該立設部９２の先端９２１からは，左方へ屈曲した第１係止部９３と，右方へ屈曲した第２係止部９４とが形成されている。上記基板部９１の上下には，該基板部９１よりも前方であり上記立設部９２の先端９２１よりも後方にその前面９５１が配されたスペーサ部９５が形成されている。
【０００３】
上記留め付け金具９は，図１５に示すごとく，左右に隣り合う外壁板２の左右接合部に配設され，左側の外壁板２の右端部２３を上記第１係止部９３に係止させ，右側の外壁板２の左端部２４を上記第２係止部９４に係止させ，かつ上記スペーサ部９５を上記外壁板２の裏側面２６に当接させることにより，上記外壁板２を構造躯体６０に防水紙６２を介して留め付ける。
このとき，上記外壁板２と構造躯体６０との間には，通気層９９が形成される。これにより，上記通気層９９に外気を導入して通気性を確保し，構造躯体６０や外壁板２の腐食，劣化を抑制している。
【０００４】
【特許文献１】
特許第２９４１２７１号公報
【０００５】
【発明が解決しようとする課題】
しかしながら，図１５に示すごとく，上記留め付け金具９を用いて上記構造躯体６０に外壁板９を直接留め付ける場合，上記通気層９９として確保される厚みは上記スペーサ部９５の前後幅，すなわちスペーサ部９５の前面９５１と基板部９１の後面９１１との間の距離に相当する厚みとなる。ところが，上記留め付け金具９のスペーサ部９５の前後幅が充分に大きく形成されていないと，充分な厚みの通気層９９を確保することができない。特に，施工不良により，上記構造躯体６０の前面に貼付した防水紙６２が撓むと，通気層９９の厚みが小さくなり，充分な通気を確保できなくなるおそれがある。
【０００６】
本発明は，かかる従来の問題点に鑑みてなされたもので，構造躯体と外壁板との間に，充分な厚みの通気層を確保することができる縦張直張用の留め付け金具を提供しようとするものである。
【０００７】
【課題を解決するための手段】
第１の発明は，長手方向が上下方向となるように，外壁板を建物の構造躯体に直接留め付けるための縦張直張用の留め付け金具であって，
該留め付け金具は，上記構造躯体に固定される基板部と，該基板部から略垂直に上下方向に立設された立設部と，該立設部の先端から左方へ屈曲した第１係止部と，上記立設部の先端から右方へ屈曲した第２係止部と，上記基板部の上下において該基板部よりも前方であり上記立設部の先端よりも後方にその前面が配されたスペーサ部とを有し，
該スペーサ部の前面は，上記基板部の後面よりも，１０〜２０ｍｍ前方に形成されており，
上記留め付け金具は，左右に隣り合う外壁板の左右接合部に配設され，一方の外壁板の側端部を上記立設部に当接させると共に上記第１係止部に係止させ，他方の外壁板の側端部を上記第２係止部に係止させ，かつ上記スペーサ部を上記外壁板の裏側面に当接させることができるよう構成されていることを特徴とする留め付け金具にある（請求項１）。
【０００８】
次に，本発明の作用効果につき説明する。
上記留め付け金具は上記スペーサ部を有するため，該留め付け金具を用いることにより，上記構造躯体と外壁板との間に，外気を通すための空間である通気層を形成することができる。そして，上記スペーサ部の前面は，上記基板部の後面よりも，１０〜２０ｍｍ前方に形成されているため，充分な厚みの通気層を形成することができる。
それ故，上記構造躯体と外壁板との間の通気性を充分に確保し，構造躯体や外壁板の腐食，劣化を防止することができる。
【０００９】
また，上記留め付け金具を用いることにより，胴縁等の下地材を配設することなく，外壁板を構造躯体に直接留め付けることができるため，容易かつ安価に縦張直張外壁施工構造を構築することができる。
【００１０】
以上のごとく，本発明によれば，構造躯体と外壁板との間に，充分な厚みの通気層を確保することができる縦張直張用の留め付け金具を提供することができる。
【００１１】
【発明の実施の形態】
上記第１の発明（請求項１）において，上記外壁板としては，例えば，窯業系外壁板を用いることができる。
また，「構造躯体に直接留め付ける」とは，構造躯体に対して，胴縁等の下地材を介在させることなく直接に外壁板を留め付けることをいい，いわゆる直張り施工することをいう。
【００１２】
また，本明細書において，建物の外側方向を「前」，内側方向を「後」として表現する。また，上記縦張直張外壁施工構造における各部材についても，基本的には，施工された状態において，前，後，上，下となる方向を，それぞれ「前」，「後」，「上」，「下」と表現する。
【００１３】
また，上記スペーサ部の前面と上記基板部の後面との間の距離が１０ｍｍ未満の場合には，上記構造躯体と外壁板との間に充分な厚みの通気層を形成することが困難となり，通気性が不充分となるおそれがある。そのため，胴縁等，通気層を確保するための下地材を使用する必要性が生ずる。一方，上記距離が２０ｍｍを超える場合には，上記立設部を前方へ大きく突出させる必要がある。そのため，該立設部の強度を充分に確保することが困難となるおそれがある。
なお，上記スペーサ部の前面は，上記基板部の後面よりも１５〜２０ｍｍ前方に形成されていることが，通気性の観点から，より一層好ましい。
【００１４】
また，上記基板部と上記立設部と上記スペーサ部の立上板部には，これらを部分的に変形させてなる補強用のリブが形成されていることが好ましい（請求項２）。
この場合には，上記留め付け金具の強度を確保することができる。それ故，留め付け金具の外形寸法を，例えば縦５５〜６５ｍｍ，横４５〜５５ｍｍと小さくしても，外壁板を構造躯体に充分な強度で固定することができる。即ち，上記リブを設けることにより，上記留め付け金具をコンパクトにすることができる。
【００１５】
また，上記留め付け金具は，上述のごとくスペーサ部の前後幅を確保する関係上，上記立設部の突出長さを，例えば１５〜２５ｍｍと大きくする必要がある。そのため，上記のごとくリブを設けることにより，上記立設部の強度を確保しつつ突出長さを大きくすることができる。
【００１６】
また，上記基板部は，該基板部を上記構造躯体に固定するためのビスを挿通するビス孔を設けてなり，該ビス孔の周囲には，左側が前方へ突出するように傾斜した傾斜隆起部が形成されていることが好ましい（請求項３）。
この場合には，上記留め付け金具を左方へ押し付けつつ，上記ビスを構造躯体にねじ込むことができる。これにより，容易に，外壁板の側端部に上記留め付け金具の立設部を押し付けて，留め付け金具を構造躯体に固定することができる。
上記傾斜隆起部は，例えば，上記基板部に対して１５〜２５°傾斜していることが好ましい。
【００１７】
また，上記留め付け金具は，１枚の金属板を切断，折り曲げ加工することにより製作したものであることが好ましい（請求項４）。
この場合には，安価な留め付け金具を容易に得ることができる。
また，上記金属板としては，例えば，ステンレス鋼板，合金メッキ鋼板等を用いることができる。また，上記金属板の厚みは，例えば，０．８〜１．２ｍｍとすることができる。
【００１８】
【実施例】
本発明の実施例にかかる留め付け金具につき，図１〜図１３を用いて説明する。
上記留め付け金具１は，図６〜図８に示すごとく，長手方向が上下方向となるように，外壁板２を建物の構造躯体６０に直接留め付けるための縦張直張用の留め付け金具である。
【００１９】
図１〜図５に示すごとく，該留め付け金具１は，上記構造躯体６０（図７，図８）に固定される基板部１１と，該基板部１１から略垂直に上下方向に立設された立設部１２とを有する。該立設部１２の先端１２１からは，左方へ屈曲した第１係止部１３，１３と，右方へ屈曲した第２係止部１４とが形成されている。また，上記基板部１１の上下には，該基板部１１よりも前方であり上記立設部１２の先端１２１よりも後方にその前面１５１が配されたスペーサ部１５が形成されている。
【００２０】
該スペーサ部１５の前面１５１は，上記基板部１１の後面１１１よりも，約１５ｍｍ前方に形成されている。即ち，図３，図４に示す幅ａが，約１５ｍｍである。
また，上記基板部１１は縦が約５０ｍｍ，横が約３０ｍｍのコンパクトな形状を有する。
【００２１】
図６〜図９に示すごとく，上記留め付け金具１は，左右に隣り合う外壁板２の左右接合部に配設される。そして，左側の外壁板２の右端部２３を上記立設部１２に当接させると共に上記第１係止部１３に係止させ，右側の外壁板２の左端部２４を上記第２係止部１４に係止させ，かつ上記スペーサ部１５を上記外壁板２の裏側面２６に当接させる。
【００２２】
図１〜図５に示すごとく，上記基板部１１と立設部１２とスペーサ部１５の立上板部１５２には，これらを部分的に変形させてなる補強用のリブ１９が形成されている。立設部１２に形成されたリブ１９には，第１係止部１３，１３と第２係止部１４に近い位置に上下方向に形成されたものと，前後方向に伸び，基板部１１に連続するように形成されたものとがある。また，基板部１１からスペーサ部１５の立上板部１５２に連続するリブ１９も形成されている。これらのリブ１９は，約４ｍｍの幅を有し，約０．６ｍｍ隆起している。
【００２３】
また，上記基板部１１は，該基板部１１を上記構造躯体６０に固定するためのビス６９２を挿通するビス孔１１２を設けてなる。該ビス孔１１２の周囲には，左側が前方へ突出するように傾斜した傾斜隆起部１１３が形成されている。
上記傾斜隆起部１１３は，上記基板部１１に対して約１８°傾斜している。
また，上記基板部１１には，左右に長い長孔１１４が形成されており，例えば，鉄骨下地を用いる場合に該長孔１１４にビスを挿通しねじ込むことができるよう構成されている。
【００２４】
また，上記留め付け金具１は，板金加工により１枚の金属板を切断，折り曲げ加工することにより製作したものである。
上記金属板としては，厚み１．０ｍｍの合金メッキ鋼板を用いている。
また，上記留め付け金具１の上下長さｂ（図２），即ち上側のスペーサ部１５の上端から下側のスペーサ部１５の下端までの長さは，約６０ｍｍである。また，上記スペーサ部１５の左右長さｃ（図２）は約４５ｍｍであり，スペーサ部１５の上下幅ｅ（図２）は約４．５ｍｍである。また，上記立設部１２の長さｄ（図３）は約１９ｍｍであり，該立設部１２は，基板部１１の右端から約３０ｍｍの位置から前方へ折り曲げられてなる。
【００２５】
図１，図３に示すごとく，上記立設部１２の中央部には，開口部１２２が形成されており，該開口部１２２の後方の基板部１１に上記傾斜隆起部１１３及びビス孔１１２が形成されている。即ち，上記開口部１２２を設けることにより，上記立設部１２の中央部の根元位置に形成されたビス孔１１２においてビス６９２をねじ込む際に，その作業を容易となす。
【００２６】
また，図１〜図３に示すごとく，上記第１係止部１３は，上記第２係止部１４を挟んで上下に一対形成されており，各第１係止部１３の先端角部には，外壁板２に食い込ませることができるよう屈曲された爪部１３１が形成されている（図９）。
【００２７】
次に，上記留め付け金具１を用いた縦張直張外壁施工構造６につき，図６〜図９を用いて説明する。
即ち，該縦張直張外壁施工構造６は，隣り合う外壁板２の左右接合部に配設した上記留め付け金具１によって，外壁板２を，胴縁を使用することなく構造躯体６０に直接に留め付けてなる。該構造躯体６０の前面には防水紙６２が配設されている。
【００２８】
上記留め付け金具１は，スペーサ部１５を上記外壁板２の裏側面２６に当接させ，第１係止部１３によって左側の外壁板２の右端部２３を係止し，第２係止部１４によって右側の外壁板２の左端部２４を係止した状態で，基板部１１を構造躯体６０にビス固定している。
これにより，上記外壁板２は，図７〜図１３に示すごとく，上記構造躯体６０との間に，約１５ｍｍの充分な厚みの通気層６１を設けた状態で，留め付け金具１によって構造躯体６０に直接に留め付けられる。
【００２９】
図９に示すごとく，上記基板部１１は，ビス６９２を斜め左方に向って上記構造躯体６０における縦柱６５にねじ込むことにより，しっかりと固定されている。すなわち，構造躯体６０である縦柱６５（木製）に対してビス６９２をねじ込む際に，左側の外壁板２を左方へ押圧しながらビス６９２がねじ込まれる。それ故，上記外壁板２が構造躯体６０にしっかりと留め付けられる。これは，上記ビス６９２の頭部６９５が上記基板部１１の傾斜隆起部１１３に当接された状態で縦柱６５にねじ込まれるからである。また，ビス６９２の固定位置は，第２係止部１４の直下位置となっており，ビス固定力は一層確実なものとなっている。
【００３０】
また，図７〜図９に示すごとく，上記外壁板２は，左右合決り構造の窯業系外壁板であり，右端部２３に横下実２３０，左端部２４に横上実２４０を有する。また，上記横下実２３０の前面には，コーキング材２３１が打設されている。
【００３１】
また，図６，図１０，図１１に示すごとく，２階建ての建物における上下に隣り合う階層（１階と２階）の間の中間部６０２には，スタータ金具３と中間水切５とが配設されている。上記スタータ金具３は，上方の外壁板２の下端部２１を支承する。また，上記中間水切５は，上方の外壁板２の表面を伝って流下してきた雨水を前方へ排出する。
【００３２】
図１０，図１１に示すごとく，該中間水切５は，上記構造躯体６０に固定された背板部５１と，該背板部５１の下端から前方へ屈曲した水平板部５２と，該水平板部５２の前端から上方へ屈曲すると共にその上端から下方へ折返された堰板部５３と，該堰板部５３の下端から前方へ突出した水切板部５４と，該水切板部５４の前端から下方へ屈曲した前板部５５とを有する。そして，上記水平板部５２には，１階部と２階部との間の通気を確保するために，通気孔５２１が形成してある。
【００３３】
上記スタータ金具３は，図１０，図１１に示すごとく，上記構造躯体６０に固定された基板部３１と，該基板部３１の下端から前方へ屈曲した前方屈曲部３２と，該前方屈曲部３２の前端から上記基板部３１と略平行となるように下方へ屈曲した当接板部３３と，該当接板部３３の下端から前方へ略直角に屈曲した支承板部３４と，上記基板部３１の下端からそのまま下方へ延設された脚部３５とを有する。
【００３４】
上記スタータ金具３は，上記中間水切５の背板部５１に上記基板部３１を重ね合わせると共に，上記中間水切５の水平板部５２に上記脚部３５を当接させた状態で上記構造躯体６０に固定されている。上記支承板部５２によって外壁板２の下端部２１を支承し，上記当接板部３３を外壁板２の裏側面２６に当接させている。
図１０，図１１に示すごとく，上記中間水切５の前板部５５は，下方の外壁板２の上端部２２を表側面２５から覆っている。
【００３５】
また，図６，図１２，図１３に示すごとく，上記建物の土台部６０１には，スタータ金具３と土台水切４とが配設されている。上記スタータ金具３は，外壁板２の下端部２１を支承し，上記土台水切４は，上記外壁板２の表側面２５を伝って流下してきた雨水を前方へ排出する。
【００３６】
該土台水切４は，構造躯体６０に固定された背板部４１と，該背板部４１の下端から前方へ屈曲した水平段部４２と，該水平段部４２の下方において前方下方へ傾斜した水切板部４３とを有する。
【００３７】
土台部６０１（図１２，図１３）に使用する上記スタータ金具３は，上述した中間部６０２（図１０，図１１）に使用するものと同様のものである。
図１２，図１３に示すごとく，上記スタータ金具３は，上記土台水切４の背板部４１に上記基板部３１を重ね合わせると共に，上記土台水切４の水平段部４２に上記脚部３５を当接させた状態で構造躯体６０に固定されている。そして，上記支承板部３４によって外壁板２の下端部２１を支承し，上記当接板部３３を外壁板２の裏側面２６に当接させている。
【００３８】
また，図１０〜図１３に示すごとく，上記スタータ金具３の脚部３５は，その下端３５１から前方へ屈曲した底板部３５２を有する。そして，該底板部３５２が，上記中間水切５の水平板部５２又は上記土台水切４の水平段部４２に載置される。
【００３９】
また，上記通気層６１には，図１３に示すごとく，土台部６０１における外壁板２の下端部２１と土台水切４の水平段部４２との間から外気Ｋが導入される。そして，図１１に示すごとく，通気層６１を通って中間部６０２に達した外気Ｋは，中間水切５の水平板部５２に設けた通気孔５２１を抜けて，更に上方の通気層６１へ流れて行く。このとき，上記スタータ金具３が配設されている部分においても，該スタータ金具３に形成された開口部３９を外気Ｋが通り抜けることができる。
また，図１３に示すごとく，土台水切４の下側から入った外気Ｋは，土台柱６３と基礎６６との間の土台パッキン６７を抜けて，構造躯体６０の内部に導入される。これにより，上記構造躯体６０の内部の通気性をも確保している。
【００４０】
上記土台水切４及び上記中間水切５は，図１０〜図１３に示すごとく，それぞれ，釘６９１によって上記構造躯体６０に固定されている。即ち，図１２，図１３に示すごとく，上記土台水切４は，背板部４１において釘６９１を打つことにより，上記構造躯体６０における土台柱１３に固定されている。また，図１０，図１１に示すごとく，上記中間水切５は，背板部５１において釘６９１を打つことにより，上記構造躯体６０における胴差６４に固定されている。
【００４１】
また，図１０〜図１３に示すごとく，上記スタータ金具３は，基板部３１に形成されたビス穴３１１にビス６９２を挿通すると共に，該ビス６９２を上記土台水切４の背板部４１或いは上記中間水切５の背板部５１を介して上記構造躯体６０にねじ込むことにより固定されている。
【００４２】
図６に示すごとく，上記土台水切４及び中間水切５は，長尺もの（３ｍ程度）であり，それぞれ，土台部６０１，中間部６０２において，左右に連続して形成されている。そして，上記スタータ金具３は，外壁板２の左右接合部における下端部に配設されている。
また，上記スタータ金具３は，厚み約１．２ｍｍの１枚のステンレス鋼板を切断，折り曲げ加工することにより製作したものである。
また，上記土台水切４及び中間水切５は，厚み約０．３５ｍｍの１枚のメッキ鋼板を切断，折り曲げ加工することにより製作したものである。
【００４３】
次に，本例の作用効果につき説明する。
上記留め付け金具１は上記スペーサ部１５を有するため，上記構造躯体６０と外壁板２との間に，外気を充分に通すための通気層６１を形成することができる（図７，図８）。即ち，上記スペーサ部１５の前面１５１は，上記基板部１１の後面１１１よりも，約１５ｍｍ前方に形成されているため，充分な厚みの通気層６１を形成することができる。
それ故，上記構造躯体６０と外壁板２との間の通気性を充分に確保し，構造躯体６０や外壁板２の腐食，劣化を防止することができる。
【００４４】
また，上記留め付け金具１を用いることにより，胴縁等の下地材を配設することなく，外壁板２を構造躯体６０に直接留め付けることができるため，容易かつ安価に縦張直張外壁施工構造６を構築することができる。
【００４５】
また，上記立設部１２には補強用のリブ１９が形成されているため，全体としてコンパクトでありながら，上記立設部１２の強度を充分に確保することができる。即ち，上記リブ１９を設けることにより，上記留め付け金具１をコンパクトにすることが可能となる。
【００４６】
また，上記留め付け金具１は，上述のごとくスペーサ部１５の前後幅を確保する関係上，上記立設部１２の突出長さを約１９ｍｍと大きくしているが，上記のごとくリブ１９を設けることにより，上記立設部１２の強度を確保しつつ突出長さを大きくすることができる。
【００４７】
また，上記基板部１１は，上記ビス孔１１２を設けてなり，該ビス孔１１２の周囲には，左側が前方へ突出するように傾斜した傾斜隆起部１１３が形成されている。そのため，図９に示すごとく，上記留め付け金具１を左方へ押し付けつつ，ビス６９２を構造躯体６０にねじ込むことができる。これにより，外壁板２の側端部（右端部２３）に上記留め付け金具１の立設部１２を押し付けながら，留め付け金具１を構造躯体６０にしっかりと固定することができる。
【００４８】
また，上記留め付け金具１は，１枚の金属板を切断，折り曲げ加工することにより，コンパクトに製作したものであるため，安価な留め付け金具１を得ることができる。
【００４９】
以上のごとく，本例によれば，構造躯体と外壁板との間に，充分な厚みの通気層を確保することができる縦張直張用の留め付け金具を提供することができる。
【００５０】
上記実施例においては，２階建ての建物の縦張直張外壁施工構造６について説明したが，本発明の留め付け金具は，１階建ての建物，或いは３階建て以上の建物にも適用することはできる。
【００５１】
【発明の効果】
上述のごとく，本発明によれば，構造躯体と外壁板との間に，充分な厚みの通気層を確保することができる縦張直張用の留め付け金具を提供することができる。
【図面の簡単な説明】
【図１】実施例における，留め付け金具の斜視図。
【図２】実施例における，留め付け金具の正面図。
【図３】実施例における，留め付け金具の左側面図。
【図４】実施例における，留め付け金具の上面図。
【図５】図２のＡ−Ａ線矢視断面図。
【図６】実施例における，縦張直張外壁施工構造の正面図。
【図７】実施例における，外壁板の左右接合部の水平断面図。
【図８】実施例における，外壁板の左右接合部の斜視図。
【図９】実施例における，外壁板の左右接合部の拡大水平断面図。
【図１０】実施例における，中間部における縦張直張外壁施工構造の斜視図。
【図１１】実施例における，中間部における縦張直張外壁施工構造の垂直断面図。
【図１２】実施例における，土台部における縦張直張外壁施工構造の斜視図。
【図１３】実施例における，土台部における縦張直張外壁施工構造の垂直断面図。
【図１４】従来例における，留め付け金具の斜視図。
【図１５】従来例における，留め付け金具を用いた縦張直張外壁施工構造の水平断面図。
【符号の説明】
１．．．留め付け金具，
１１．．．基板部，
１１１．．．後面
１１２．．．ビス孔，
１１３．．．傾斜隆起部，
１２．．．立設部，
１３．．．第１係止部，
１４．．．第２係止部，
１５．．．スペーサ部，
１５１．．．前面，
１９．．．リブ，
２．．．外壁板，
３．．．スタータ金具，
４．．．土台水切，
５．．．中間水切，
６．．．縦張直張外壁施工構造，
６０．．．構造躯体，
【図１】
2004232347.tif 000003
【図２】
2004232347.tif 000004
【図３】
2004232347.tif 000005
【図４】
2004232347.tif 000006
【図５】
2004232347.tif 000007
【図６】
2004232347.tif 000008
【図７】
2004232347.tif 000009
【図８】
2004232347.tif 000010
【図９】
2004232347.tif 000011
【図１０】
2004232347.tif 000012
【図１１】
2004232347.tif 000013
【図１２】
2004232347.tif 000014
【図１３】
2004232347.tif 000015
【図１４】
2004232347.tif 000016
【図１５】
2004232347.tif 000017